(57)【要約】【解決手段】上部フレーム１と、底部２と、はね上げ側壁３と、上部分割側壁４’と下部分割側壁４”とからなる分割側壁＄とを有する本体Ｃと、上部フレームの相対する枠部にヒンジ連結された一対の半蓋体５’とから構成されている折り畳みコンテナーにおいて、一方の半蓋体の重合嵌合部５０ｄともう一方の半蓋体の閉鎖段差部５０ｃとが重合するように構成するとともに、前記重合嵌合部の周壁部を、半円以下の円弧状に形成したものである。【効果】重合嵌合部の閉鎖段差部からの突出長さが短くなり、従って、重合嵌合部の強度や剛性が大きくなり、重合嵌合部の損傷を防止ことができるとともに、一方の半蓋体の重合嵌合部ともう一方の半蓋体の閉鎖段差部との重合部分の強度や剛性が大きくなるので、重合部分が、折り畳みコンテナーの内部方向に撓むようなことがない。【選択図】図２
2004161304.tif 000002
【特許請求の範囲】
【請求項１】
上部フレームと、底部と、はね上げ側壁と、上部分割側壁と下部分割側壁とからなる分割側壁とを有する本体と、上部フレームの相対する枠部にヒンジ連結された一対の半蓋体とから構成されている折り畳みコンテナーにおいて、一方の半蓋体の重合嵌合部ともう一方の半蓋体の閉鎖段差部とが重合するように構成するとともに、前記重合嵌合部の周壁部を、半円以下の円弧状に形成したことを特徴とする折り畳みコンテナー。
【請求項２】
閉鎖段差部の上面に、相対する根元側円弧状周壁部を連結する連結リブを形成したことを特徴とする請求項１に記載の折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
図４〜図８を用いて、従来の折り畳みコンテナーについて説明する。
【０００３】
折り畳みコンテナーの本体Ｃは、額縁状の上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
折り畳みコンテナーの本体Ｃに被蓋される蓋５は、一対の半蓋体５’により構成されており、半蓋体５’の直線状の長辺部５ａが、適当なヒンジ部材Ｈ１により、上部フレーム１の相対する長辺枠１ａにヒンジ連結されている。また、半蓋体５’の直線状の長辺部５ａと相対する辺部には、複数の略台形状や放物線状の嵌合凸部５ｂと、嵌合凸部５ｂ間に位置する嵌合凹部５ｃが形成されており、更に、嵌合凸部５ｂの根元側に位置する嵌合凹部５ｃの一部を閉鎖するとともに、嵌合凸部５ｂより一段下がった閉鎖段差部５ｄが形成されている。嵌合凸部５ｂの周壁５ｂ１と閉鎖段差部５ｄとにより形成される隅部に位置する閉鎖段差部５ｄの上面（半蓋体５’が、箱型に組み立てられた折り畳みコンテナーの本体Ｃを被蓋した際に、上方に位置する面）５ｄ１には、隣り合う嵌合凸部５ｂの相対する周壁５ｂ１の所定の部分から、互いに接近する方向に延在する嵌合リブ６が形成されている。また、閉鎖段差部５ｄから突出している嵌合凸部５ｂの相対する周壁５ｂ１には、嵌合リブ６が嵌合可能な嵌合凹部５ｂ２が形成されている。
【０００５】
図４や図７に示されているように、箱型に組み立てられた折り畳みコンテナーの本体Ｃを折り畳むには、先ず最初に、略垂直状態のはね上げ側壁３を、上方に回動させて、図５に示されているように、略水平状態とし、次いで、分割側壁４を構成する上部分割側壁４’と下部分割側壁４”とを連結するヒンジ部を、内側方向に移動させて、上部分割側壁４’と下部分割側壁４”とを互いに重なることにより、図６に示されているように、高さの低いコンパクトな状態に折り畳むことができるように構成されている。また、底部２に対して、上部フレーム１を上方に持ち上げて、互いに重ねられていた上部分割側壁４’と下部分割側壁４”とを、略面一状態にし、次いで、略水平状態のはね上げ側壁３を、下方に回動させて、略垂直状態とすることにより、箱型に組み立てることができるように構成されている。
【０００６】
図７に示されているように、箱型に組み立てられた折り畳みコンテナーの本体Ｃの開口部、即ち、上部フレーム１の開口部、或い、図６に示されているように、折り畳まれた状態の上部フレーム１の開口部を、一対の半蓋体５’からなる蓋５により被蓋した際には、一方の半蓋体５’の嵌合凸部５ｂは、もう一方の半蓋体５’の嵌合凹部５ｃに嵌合されるとともに、一方の半蓋体５’の嵌合凸部５ｂの先端部は、もう一方の半蓋体５’の閉鎖段差部５ｄに載置され、更に、一方の半蓋体５’の嵌合凸部５ｂの周壁５ｂ１に形成された嵌合凹部５ｂ２に、もう一方の半蓋体５’の閉鎖段差部５ｄに形成された嵌合リブ６が、嵌合するように構成されている。このように構成することにより、一対の半蓋体５’が、がたつくようなことがなく、且つ、一対の半蓋体５’の互いに嵌合する部分に、上方から負荷が加わっても、一対の半蓋体５’の互いに嵌合する部分が、折り畳みコンテナーの本体Ｃの内部方向に沈み込まないように構成されている。
【０００７】
上述した構成を有する折り畳みコンテナーは、例えば、実公昭５８−３１６６８号公報、特開平１１−３５０３４号公報等に開示されている。
【０００８】
【発明が解決しようとする課題】
上述した従来の折り畳みコンテナーにおいては、半蓋体５’の閉鎖段差部５ｄから突出している嵌合凸部５ｂの先端部が長いために、嵌合凸部５ｂの先端部と閉鎖段差部５ｄとの重合部分が長くなり、従って、この部分に、上方から負荷が加わった際に、半蓋体５’が、折り畳みコンテナーの本体Ｃの内部方向に大きく撓むという問題があった。また、半蓋体５’の閉鎖段差部５ｄから突出している嵌合凸部５ｂの先端部が長いために、半蓋体５’の短辺側の長さ（長辺部５ａから嵌合凸部５ｂの先端までの長さ）Ｌ１が長くなり、従って、半蓋体５’の重量が増大するとともに、箱型に組み立てられた折り畳みコンテナーの本体Ｃの分割側壁４に、半蓋体５’を重ねて、本体Ｃの開口部を開けた際に、半蓋体５’の先端が、床等に当接するという問題があった。
【０００９】
本発明の目的は、上述した従来の折り畳みコンテナーが有する課題を解決するとともに、蓋の強度や剛性が向上した折り畳みコンテナーを提供することにある。
【００１０】
【課題を解決するための手段】
本発明は、上述した目的を達成するために、上部フレームと、底部と、はね上げ側壁と、上部分割側壁と下部分割側壁とからなる分割側壁とを有する本体と、上部フレームの相対する枠部にヒンジ連結された一対の半蓋体とから構成されている折り畳みコンテナーにおいて、第１には、一方の半蓋体の重合嵌合部ともう一方の半蓋体の閉鎖段差部とが重合するように構成するとともに、前記重合嵌合部の周壁部を、半円以下の円弧状に形成したものであり、第２には、閉鎖段差部の上面に、相対する根元側円弧状周壁部を連結する連結リブを形成したものである。
【００１１】
【実施例】
以下に、本発明の実施例について説明するが、本発明の趣旨を越えない限り何ら、本実施例に限定されるものではない。また、本発明の折り畳みコンテナーは、蓋を構成する一対の半蓋体が、上述した従来の折り畳みコンテナーの半蓋体と異なる以外は、実質的に同じ構成を有しているので、同じ構成部材については、同じ符号を使用するとともに、その詳細な説明は省略する。
【００１２】
本発明においては、上部フレーム１の相対する長辺枠１ａにヒンジ連結されている、半蓋体５’の直線状の長辺部５ａと相対する辺部には、変曲点ｐ１を結んだ中心線Ｌ１より外側に突出した、半円以下の円弧からなる先端側円弧状周壁部５０ａと、変曲点ｐ１を結んだ中心線Ｌ１より内側に引っ込んだ、半円以下の円弧からなる根元側円弧状周壁部５０ｂとにより、波状周壁５０が形成されている。また、変曲点ｐ１を結んだ中心線Ｌ１に、その先端が略一致する、上述した閉鎖段差部５ｄに相当する閉鎖段差部５０ｃが、根元側円弧状周壁部５０ｂ間に形成された凹部を閉鎖するように形成されている。変曲点ｐ１を結んだ中心線Ｌ１、換言すれば．閉鎖段差部５０ｃの先端を越えて突出した半円以下の円弧領域を、以下、重合嵌合部５０ｄと称し、この重合嵌合部５０ｄが、上述した従来の半蓋体５’の嵌合凸部５ｂの先端部に相当する。
【００１３】
閉鎖段差部５０ｃの上面（半蓋体５０’が、箱型に組み立てられた折り畳みコンテナーの本体Ｃを被蓋した際に、上方に位置する面）５０ｃ１には、相対する根元側円弧状周壁部５０ｂを連結する連結リブ６０が形成されており、連結リブ６０は、相対する根元側円弧状周壁部５０ｂ側に位置するとともに、閉鎖段差部５０ｃの先端、換言すれば、変曲点ｐ１を結んだ中心線Ｌ１と平行な直線部６０ａと、先端側円弧状周壁部５０ａ及び根元側円弧状周壁部５０ｂと略同じ曲率半径を有するとともに、根元側円弧状周壁部５０ｂ側に突出した円弧部６０ｂとにより構成されている。
【００１４】
閉鎖段差部５０ｃの先端、換言すれば、変曲点ｐ１を結んだ中心線Ｌ１を越えて位置する先端側円弧状周壁部５０ａには、上述した従来の半蓋体５’の閉鎖段差部５ｄから突出している嵌合凸部５ｂの周壁５ｂ１に形成されている嵌合凹部５ｂ２に相当する嵌合凹部５０ｅが形成されている。
【００１５】
図１に示されているように、箱型に組み立てられた折り畳みコンテナーの本体Ｃの開口部、即ち、上部フレーム１の開口部を、一対の半蓋体５’からなる蓋５により被蓋した際には、一方の半蓋体５’の重合嵌合部５０ｄが、もう一方の半蓋体５’の閉鎖段差部５ｃに載置され、また、一方の半蓋体５’の先端側円弧状周壁部５０ａに形成された嵌合凹部５０ｅに、もう一方の半蓋体５’の閉鎖段差部５０ｃに形成された連結リブ６０の直線部６０ａが嵌合するように構成されている。更に、一方の半蓋体５’の先端側円弧状周壁部５０ａの先端部は、もう一方の半蓋体５’の閉鎖段差部５０ｃに形成された連結リブ６０の円弧部６０ｂと根元側円弧状周壁部５０ｂとの間に形成された空隙部Ａ１に挿入されるように構成されている。
【００１６】
上述したように、蓋５を構成する一対の半蓋体５’の重合嵌合部５０ｄの先端側円弧状周壁部５０ａが、半円以下の円弧に形成されているので、重合嵌合部５０ｄの閉鎖段差部５０ｃからの突出長さが短いので、重合嵌合部５０ｄの強度や剛性が大きく、従って、重合嵌合部５０ｄが損傷するようなことがない。
【００１７】
また、一対の半蓋体５’により、折り畳みコンテナーの開口部を被蓋した際の一方の半蓋体５’の重合嵌合部５０ｄともう一方の半蓋体５’の閉鎖段差部５０ｃとの重合部分の強度や剛性が大きいので、この重合部分に、上方から多少の負荷がかかっても、重合部分が、折り畳みコンテナーの内部方向に撓むようなことがない。
【００１８】
更に、蓋５を構成する一対の半蓋体５’の重合嵌合部５０ｄの先端側円弧状周壁部５０ａが、半円以下の円弧に形成されているので、半蓋体５’の短辺側の長さ（長辺部５ａから重合嵌合部５０ｄの先端までの長さ）Ｌ２の長さが、上述した従来の半蓋体５’の短辺側の長さＬ１より短くなり、従って、半蓋体５０’の重量が軽減化されるとともに、箱型に組み立てられた折り畳みコンテナーの本体Ｃの分割側壁４に、半蓋体５’を重ねて、本体Ｃの開口部を開けた際に、半蓋体５’の先端が、床等に当接するようなことを防止することができる。
【００１９】
更にまた、閉鎖段差部５０ｃの上面５０ｃ１には、相対する根元側円弧状周壁部５０ｂを連結する連結リブ６０が形成されているので、閉鎖段差部５０ｃ及び根元側円弧状周壁部５０ｂの強度や剛性が向上し、ひいては、半蓋体５’の強度や剛性が向上する。従って、一方の半蓋体５’の重合嵌合部５０ｄと、もう一方の半蓋体５’の閉鎖段差部５０ｃとの重合部分の強度や剛性が向上し、重合部分が、折り畳みコンテナーの内部方向に撓むようなことを確実に防止することができる。
【００２０】
【発明の効果】
本発明は、以上説明したように構成されているので、以下に記載されるような効果を奏する。
【００２１】
重合嵌合部の周壁部を、半円以下の円弧状に形成したので、重合嵌合部の閉鎖段差部からの突出長さが短くなり、従って、重合嵌合部の強度や剛性が大きくなり、重合嵌合部の損傷を防止ことができるとともに、一方の半蓋体の重合嵌合部ともう一方の半蓋体の閉鎖段差部との重合部分の強度や剛性が大きくなるので、重合部分が、折り畳みコンテナーの内部方向に撓むようなことがない。
【００２２】
閉鎖段差部の上面に、相対する根元側円弧状周壁部を連結する連結リブを形成したので、閉鎖段差部及び根元側円弧状周壁部の強度や剛性が向上し、ひいては、半蓋体の強度や剛性が向上する。
【図面の簡単な説明】
【図１】図１は、本発明の折り畳みコンテナーが箱型に組み立てられ、且つ、蓋で被蓋された状態の斜視図である。
【図２】図２は、本発明の折り畳みコンテナーの蓋を構成する半蓋体の上方からの斜視図である。
【図３】図３は、本発明の折り畳みコンテナーの蓋を構成する半蓋体の裏面斜視図である。
【図４】図４は、従来の折り畳みコンテナーが箱型に組み立てられ、且つ、蓋が開けられた状態の斜視図である。
【図５】図５は、従来の折り畳みコンテナーの組み立て途中或いは折り畳み途中の斜視図である。
【図６】図６は、従来の折り畳みコンテナーが折り畳まれた状態の斜視図である。
【図７】図７は、従来の折り畳みコンテナーが箱型に組み立てられ、且つ、蓋で被蓋された状態の斜視図である。
【図８】図８は、従来の折り畳みコンテナーの蓋を構成する半蓋体の上方からの斜視図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５・・・・・・・・蓋
５’・・・・・・・半蓋体
５０ｃ・・・・・・閉鎖段差部
５０ｄ・・・・・・重合嵌合部
【図１】
2004161304.tif 000003
【図２】
2004161304.tif 000004
【図３】
2004161304.tif 000005
【図４】
2004161304.tif 000006
【図５】
2004161304.tif 000007
【図６】
2004161304.tif 000008
【図７】
2004161304.tif 000009
【図８】
2004161304.tif 000010